(57)【要約】【課題】ミッションの対応コンテンツを育成する手間を軽減する。【解決手段】プログラムは、コンピュータを、ミッションの対応コンテンツのパラメータが所定値に到達した場合に報酬を付与する付与手段４４、ミッションに対する指示に基づき、対応コンテンツが獲得可能なゲーム種目を進行させる制御手段４２、進行に基づき対応コンテンツを複数獲得した場合、一の対応コンテンツを合成元とし、残りの対応コンテンツを素材として自動合成させる合成手段４６、として機能させる。【選択図】図３
2020089715.tif 000002
【特許請求の範囲】
【請求項１】
合成元コンテンツに同じコンテンツを素材として合成することにより、当該合成元コンテンツのパラメータを上昇させるゲームのプログラムであって、
コンピュータを、
ミッションに対応する対応コンテンツのパラメータが所定値に到達した場合に、プレイヤに対して報酬を付与する付与手段、
前記プレイヤによる前記ミッションに対する指示に基づき、前記対応コンテンツが獲得可能なゲーム種目を進行させる制御手段、
前記進行に基づき前記プレイヤが対応コンテンツを複数獲得した場合において、当該獲得した複数の対応コンテンツのうち、一の対応コンテンツを合成元とし、残りの対応コンテンツを素材として自動合成させる合成手段、
として機能させるプログラム。
【請求項２】
前記合成手段は、前記プレイヤが前記対応コンテンツを既に所有している場合、当該所有している対応コンテンツを合成元とし、前記進行に基づき獲得した対応コンテンツを素材として自動合成させる、
ことを特徴とする請求項１に記載のプログラム。
【請求項３】
合成元コンテンツに同系列コンテンツを素材として合成することにより、当該合成元コンテンツのパラメータを上昇させるゲームのプログラムであって、
コンピュータを、
ミッションに対応する対応コンテンツのパラメータが所定値に到達した場合に、プレイヤに対して報酬を付与する付与手段、
前記プレイヤによる前記ミッションに対する指示に基づき、前記対応コンテンツの進化前コンテンツが獲得可能なゲーム種目を進行させる制御手段、
前記進行に基づき前記プレイヤが前記進化前コンテンツを複数獲得した場合において、当該獲得した複数の進化前コンテンツのうち、一の進化前コンテンツを自動的に進化させて前記対応コンテンツとした後に当該対応コンテンツを合成元とし、残りの進化前コンテンツを素材として自動合成させる合成手段、
として機能させるプログラム。
【請求項４】
合成元コンテンツに同系列コンテンツを素材として合成することにより、当該合成元コンテンツのパラメータを上昇させるゲームのプログラムであって、
コンピュータを、
ミッションに対応する対応コンテンツのパラメータが所定値に到達した場合に、プレイヤに対して報酬を付与する付与手段、
前記プレイヤによる前記ミッションに対する指示に基づき、前記対応コンテンツの進化前コンテンツが獲得可能なゲーム種目を進行させる制御手段、
前記進行に基づき前記プレイヤが前記進化前コンテンツを複数獲得した場合において、当該獲得した複数の進化前コンテンツのうち、一の進化前コンテンツを合成元とし、残りの進化前コンテンツを素材として自動合成させる合成手段、
として機能させるプログラム。
【請求項５】
前記合成手段は、前記プレイヤが前記対応コンテンツを既に所有している場合、当該所有している対応コンテンツを合成元とし、前記進行に基づき獲得した進化前コンテンツを素材として自動合成させる、
ことを特徴とする請求項３又は４に記載のプログラム。
【請求項６】
前記合成手段は、前記プレイヤが前記進化前コンテンツを既に所有している場合、当該所有している進化前コンテンツを自動的に進化させて前記対応コンテンツとした後に当該対応コンテンツを合成元とし、前記進行に基づき獲得した進化前コンテンツを素材として自動合成させる、
ことを特徴とする請求項３又は４に記載のプログラム。
【請求項７】
前記合成手段は、前記プレイヤが前記進化前コンテンツを既に所有している場合、当該所有している進化前コンテンツを合成元とし、前記進行に基づき獲得した進化前コンテンツを素材として自動合成させる、
ことを特徴とする請求項４に記載のプログラム。
【請求項８】
前記合成手段は、前記自動合成を行ったことに伴って、前記合成元とした進化前コンテンツを前記対応コンテンツに自動的に進化させる、
ことを特徴とする請求項４又は７に記載のプログラム。
【請求項９】
合成元コンテンツに同じコンテンツを素材として合成することにより、当該合成元コンテンツのパラメータを上昇させるゲームを実行する情報処理装置であって、
ミッションに対応する対応コンテンツのパラメータが所定値に到達した場合に、プレイヤに対して報酬を付与する付与手段と、
前記プレイヤによる前記ミッションに対する指示に基づき、前記対応コンテンツが獲得可能なゲーム種目を進行させる制御手段と、
前記進行に基づき前記プレイヤが対応コンテンツを複数獲得した場合において、当該獲得した複数の対応コンテンツのうち、一の対応コンテンツを合成元とし、残りの対応コンテンツを素材として自動合成させる合成手段と、
を備える情報処理装置。
【請求項１０】
合成元コンテンツに同系列コンテンツを素材として合成することにより、当該合成元コンテンツのパラメータを上昇させるゲームを実行する情報処理装置であって、
ミッションに対応する対応コンテンツのパラメータが所定値に到達した場合に、プレイヤに対して報酬を付与する付与手段と、
前記プレイヤによる前記ミッションに対する指示に基づき、前記対応コンテンツの進化前コンテンツが獲得可能なゲーム種目を進行させる制御手段と、
前記進行に基づき前記プレイヤが前記進化前コンテンツを複数獲得した場合において、当該獲得した複数の進化前コンテンツのうち、一の進化前コンテンツを自動的に進化させて前記対応コンテンツとした後に当該対応コンテンツを合成元とし、残りの進化前コンテンツを素材として自動合成させる合成手段と、
を備える情報処理装置。
【請求項１１】
合成元コンテンツに同系列コンテンツを素材として合成することにより、当該合成元コンテンツのパラメータを上昇させるゲームを実行する情報処理装置であって、
ミッションに対応する対応コンテンツのパラメータが所定値に到達した場合に、プレイヤに対して報酬を付与する付与手段と、
前記プレイヤによる前記ミッションに対する指示に基づき、前記対応コンテンツの進化前コンテンツが獲得可能なゲーム種目を進行させる制御手段と、
前記進行に基づき前記プレイヤが前記進化前コンテンツを複数獲得した場合において、当該獲得した複数の進化前コンテンツのうち、一の進化前コンテンツを合成元とし、残りの進化前コンテンツを素材として自動合成させる合成手段と、
を備える情報処理装置。
【発明の詳細な説明】
【技術分野】
【０００１】
本発明は、プログラム及び情報処理装置に関する。
【０００２】
従来から、プレイヤがミッションを達成すると、当該プレイヤに対してミッション報酬を付与するゲームが知られている。
【０００３】
これに関し、特許文献１には、プレイヤがミッションを達成（クリア）することにより、ミッション報酬としてアイテムや経験値を付与する技術が開示されている。
【先行技術文献】
【特許文献】
【０００４】
【特許文献１】特許第６２９６１９４号公報
【発明の概要】
【発明が解決しようとする課題】
【０００５】
このようなゲームの中には、ゲーム運営者がプレイヤに育成してもらいたいキャラクタをミッションの対応キャラクタとして設定し、例えば、プレイヤが当該対応キャラクタのパラメータを所定値に到達させた場合、当該ミッションを達成したと判定するものがある。しかしながら、この対応キャラクタのパラメータを上昇させるために手間がかかってしまうと、プレイヤは、ミッションに挑戦することを躊躇したり、ミッションを途中で放棄してしまったりするという問題があった。
【０００６】
本発明はこのような課題に鑑みてなされたものであり、その目的は、ミッションの対応キャラクタを育成する手間を軽減することができるプログラム及び情報処理装置を提供することにある。
【課題を解決するための手段】
【０００７】
上記課題を解決するために、本発明の第一態様に係るプログラムは、合成元コンテンツに同じコンテンツを素材として合成することにより、当該合成元コンテンツのパラメータを上昇させるゲームのプログラムであって、コンピュータを、ミッションに対応する対応コンテンツのパラメータが所定値に到達した場合に、プレイヤに対して報酬を付与する付与手段、前記プレイヤによる前記ミッションに対する指示に基づき、前記対応コンテンツが獲得可能なゲーム種目を進行させる制御手段、前記進行に基づき前記プレイヤが対応コンテンツを複数獲得した場合において、当該獲得した複数の対応コンテンツのうち、一の対応コンテンツを合成元とし、残りの対応コンテンツを素材として自動合成させる合成手段、として機能させる。
なお、上記「コンピュータ」は、一つのコンピュータで構成されてもよく、複数のコンピュータで構成されてもよい。
【０００８】
上記第一態様によれば、獲得した複数の対応コンテンツのうち、一の対応コンテンツを合成元とし、残りの対応コンテンツを素材として自動合成させるので、対応コンテンツの獲得後、プレイヤが強化合成メニューに遷移して対応コンテンツ同士を合成させる手間を軽減することができる。これにより、プレイヤに対してミッションの対応コンテンツを育成するモチベーションを与えることができる。
【０００９】
また、本発明の第二態様では、前記合成手段は、前記プレイヤが前記対応コンテンツを既に所有している場合、当該所有している対応コンテンツを合成元とし、前記進行に基づき獲得した対応コンテンツを素材として自動合成させる。
【００１０】
また、本発明の第三態様に係るプログラムは、合成元コンテンツに同系列コンテンツを素材として合成することにより、当該合成元コンテンツのパラメータを上昇させるゲームのプログラムであって、コンピュータを、ミッションに対応する対応コンテンツのパラメータが所定値に到達した場合に、プレイヤに対して報酬を付与する付与手段、前記プレイヤによる前記ミッションに対する指示に基づき、前記対応コンテンツの進化前コンテンツが獲得可能なゲーム種目を進行させる制御手段、前記進行に基づき前記プレイヤが前記進化前コンテンツを複数獲得した場合において、当該獲得した複数の進化前コンテンツのうち、一の進化前コンテンツを自動的に進化させて前記対応コンテンツとした後に当該対応コンテンツを合成元とし、残りの進化前コンテンツを素材として自動合成させる合成手段、として機能させる。
【００１１】
また、本発明の第四態様に係るプログラムは、合成元コンテンツに同系列コンテンツを素材として合成することにより、当該合成元コンテンツのパラメータを上昇させるゲームのプログラムであって、コンピュータを、ミッションに対応する対応コンテンツのパラメータが所定値に到達した場合に、プレイヤに対して報酬を付与する付与手段、前記プレイヤによる前記ミッションに対する指示に基づき、前記対応コンテンツの進化前コンテンツが獲得可能なゲーム種目を進行させる制御手段、前記進行に基づき前記プレイヤが前記進化前コンテンツを複数獲得した場合において、当該獲得した複数の進化前コンテンツのうち、一の進化前コンテンツを合成元とし、残りの進化前コンテンツを素材として自動合成させる合成手段、として機能させる。
【００１２】
また、本発明の第五態様では、前記合成手段は、前記プレイヤが前記対応コンテンツを既に所有している場合、当該所有している対応コンテンツを合成元とし、前記進行に基づき獲得した進化前コンテンツを素材として自動合成させる。
【００１３】
また、本発明の第六態様では、前記合成手段は、前記プレイヤが前記進化前コンテンツを既に所有している場合、当該所有している進化前コンテンツを自動的に進化させて前記対応コンテンツとした後に当該対応コンテンツを合成元とし、前記進行に基づき獲得した進化前コンテンツを素材として自動合成させる。
【００１４】
また、本発明の第七態様では、前記合成手段は、前記プレイヤが前記進化前コンテンツを既に所有している場合、当該所有している進化前コンテンツを合成元とし、前記進行に基づき獲得した進化前コンテンツを素材として自動合成させる。
【００１５】
また、本発明の第八態様では、前記合成手段は、前記自動合成を行ったことに伴って、前記合成元とした進化前コンテンツを前記対応コンテンツに自動的に進化させる。
【００１６】
また、本発明の第九態様に係る情報処理装置は、合成元コンテンツに同じコンテンツを素材として合成することにより、当該合成元コンテンツのパラメータを上昇させるゲームを実行する情報処理装置であって、ミッションに対応する対応コンテンツのパラメータが所定値に到達した場合に、プレイヤに対して報酬を付与する付与手段と、  前記プレイヤによる前記ミッションに対する指示に基づき、前記対応コンテンツが獲得可能なゲーム種目を進行させる制御手段と、前記進行に基づき前記プレイヤが対応コンテンツを複数獲得した場合において、当該獲得した複数の対応コンテンツのうち、一の対応コンテンツを合成元とし、残りの対応コンテンツを素材として自動合成させる合成手段と、を備える。
【００１７】
また、本発明の第十態様に係る情報処理装置は、合成元コンテンツに同系列コンテンツを素材として合成することにより、当該合成元コンテンツのパラメータを上昇させるゲームを実行する情報処理装置であって、ミッションに対応する対応コンテンツのパラメータが所定値に到達した場合に、プレイヤに対して報酬を付与する付与手段と、前記プレイヤによる前記ミッションに対する指示に基づき、前記対応コンテンツの進化前コンテンツが獲得可能なゲーム種目を進行させる制御手段と、前記進行に基づき前記プレイヤが前記進化前コンテンツを複数獲得した場合において、当該獲得した複数の進化前コンテンツのうち、一の進化前コンテンツを自動的に進化させて前記対応コンテンツとした後に当該対応コンテンツを合成元とし、残りの進化前コンテンツを素材として自動合成させる合成手段と、を備える。
【００１８】
また、本発明の第十一態様に係る情報処理装置は、合成元コンテンツに同系列コンテンツを素材として合成することにより、当該合成元コンテンツのパラメータを上昇させるゲームを実行する情報処理装置であって、ミッションに対応する対応コンテンツのパラメータが所定値に到達した場合に、プレイヤに対して報酬を付与する付与手段と、前記プレイヤによる前記ミッションに対する指示に基づき、前記対応コンテンツの進化前コンテンツが獲得可能なゲーム種目を進行させる制御手段と、前記進行に基づき前記プレイヤが前記進化前コンテンツを複数獲得した場合において、当該獲得した複数の進化前コンテンツのうち、一の進化前コンテンツを合成元とし、残りの進化前コンテンツを素材として自動合成させる合成手段と、を備える。
【発明の効果】
【００１９】
本発明によれば、ミッションの対応コンテンツを育成する手間を軽減することができる。
【図面の簡単な説明】
【００２０】
【図１】本実施形態に係る情報処理装置（コンピュータ）を含むゲームシステムの全体構成の一例を示すブロック図である。
【図２】サーバ装置のハードウェア構成の一例を概略的に示す図である。
【図３】サーバ装置の機能手段の一例を概略的に示すブロック図である。
【図４】本実施形態に係る各機能手段が実行するミッションに関する処理の流れの一例を示すフローチャートである。
【図５】図４に示すステップＳＰ２４に係る自動合成処理の流れの一例（具体例１）を示すフローチャートである。
【図６】端末装置に出力されるミッション詳細画面の一例を示す図である。
【図７】端末装置に出力される通知画面の一例（具体例１）を示す図である。
【図８】図４に示すステップＳＰ２４に係る自動合成処理の流れの一例（具体例２）を示すフローチャートである。
【図９】端末装置に出力される通知画面の一例（具体例２）を示す図である。
【図１０】図４に示すステップＳＰ２４に係る自動合成処理の流れの一例（具体例３）を示すフローチャートである。
【図１１】端末装置に出力される通知画面の一例（具体例３）を示す図である。
【発明を実施するための形態】
【００２１】
以下、添付図面を参照しながら本発明の実施形態（以下、「本実施形態」と称す。）について説明する。説明の理解を容易にするため、各図面において同一の構成要素及びステップに対しては可能な限り同一の符号を付して、重複する説明は省略する。
【００２２】
＜全体構成＞
図１は、本実施形態に係る情報処理装置（コンピュータ）を含むゲームシステム１の全体構成の一例を示すブロック図である。
【００２３】
図１に示すように、ゲームシステム１は、一又は複数のプレイヤにゲームを提供するシステムである。ゲームシステム１は、本実施形態に係る情報処理装置としてのサーバ装置１０と、一又は複数の端末装置１２と、を備える。これらサーバ装置１０と端末装置１２は、イントラネットやインターネット等の通信ネットワークＮＴを介して互いに通信可能に接続されている。
【００２４】
サーバ装置１０は、ゲームプログラム１４を実行して得られるゲーム、又はゲームプログラム１４そのものを、通信ネットワークＮＴを介して各端末装置１２に提供する情報処理装置である。本実施形態では、サーバ装置１０は、ゲームプログラム１４を実行し、その実行結果（画像データや音声データ等）を各端末装置１２に送信し、出力させることで各端末装置１２にゲームを提供する。なお、ゲームプログラム１４は、端末装置１２とサーバ装置１０により協働して実行されてもよい。
【００２５】
各端末装置１２は、プレイヤが所持する情報処理装置であって、サーバ装置１０から受信したゲームプログラム１４の実行結果を出力することで、プレイヤにゲームを提供する情報処理装置である。これらの端末装置１２としては、ビデオゲーム機や携帯ゲーム機、アーケードゲーム機、スマートフォン、タブレット、パーソナルコンピュータ等の様々なものが挙げられる。各端末装置１２は、通信ネットワークＮＴを介して、サーバ装置１０に接続可能とされている。なお、各端末装置１２は、サーバ装置１０からゲームプログラム１４をダウンロードして、自らゲームプログラム１４を実行することで、プレイヤにゲームを提供してもよい。
【００２６】
＜ハードウェア構成＞
図２は、サーバ装置１０のハードウェア構成の一例を概略的に示す図である。
【００２７】
図２に示すように、サーバ装置１０は、制御装置２０と、通信装置２６と、記憶装置２８と、を備える。制御装置２０は、ＣＰＵ（Ｃｅｎｔｒａｌ  Ｐｒｏｃｅｓｓｉｎｇ  Ｕｎｉｔ）２２及びメモリ２４を主に備えて構成される。
【００２８】
制御装置２０では、ＣＰＵ２２がメモリ２４或いは記憶装置２８等に格納された所定のプログラムを実行することにより、各種の機能手段として機能する。この機能手段の詳細については後述する。
【００２９】
通信装置２６は、外部の装置と通信するための通信インターフェース等で構成される。
通信装置２６は、例えば、端末装置１２との間で各種の情報を送受信する。
【００３０】
記憶装置２８は、ハードディスク等で構成される。記憶装置２８は、ゲームプログラム１４を含む、制御装置２０における処理の実行に必要な各種プログラムや各種の情報、及び処理結果の情報を記憶する。
【００３１】
なお、サーバ装置１０は、専用又は汎用のサーバ・コンピュータなどの情報処理装置を用いて実現することができる。また、サーバ装置１０は、単一の情報処理装置より構成されるものであっても、通信ネットワークＮＴ上に分散した複数の情報処理装置より構成されるものであってもよい。また、図２は、サーバ装置１０が有する主要なハードウェア構成の一部を示しているに過ぎず、サーバ装置１０は、サーバが一般的に備える他の構成を備えることができる。また、複数の端末装置１２のハードウェア構成も、例えば操作手段や表示装置、音出力装置を備える他は、サーバ装置１０と同様の構成を備えることができる。
【００３２】
＜ゲーム概要＞
本実施形態に係るゲームは、コンテンツの一例としてのキャラクタを獲得することが可能な抽選ゲーム（ガチャ）や、クエスト（対戦ゲーム）、ミッションが実行可能なゲームである。なお、ミッションは、クエストと称される場合もある。
【００３３】
本実施形態に係る抽選ゲームは、プレイヤからの抽選ゲームを実行する指示（要求）により、抽選対象であるキャラクタ群からランダムに選択された一又は複数のキャラクタをプレイヤに獲得させるゲームである。なお、この抽選は、プレイヤによる対価の消費に基づいて実行される。対価としては、例えば、課金アイテム、課金アイテムを除くゲームアイテム（非課金アイテム、チケット、ゲームコイン等）が挙げられる。なお、課金アイテムは、プレイヤの課金（金銭やクレジット等の支払い）に基づいて付与されるゲームアイテムである。また、非課金アイテムは、課金アイテムと同等の価値を有しており、主にゲーム内で付与されるゲームアイテムである。
【００３４】
本実施形態に係るクエストは、プレイヤからのクエストを実行する指示（要求）に基づき、プレイヤが所有する一又は複数のキャラクタにより構成されるデッキと、敵キャラクタを対戦させるゲームである。プレイヤは、デッキを構成するキャラクタ（デッキ内キャラクタ）をそれぞれ操作して対戦ゲームを行い、クエストをクリアした場合、プレイヤにはクリア報酬が付与される。クリア報酬としては、非課金アイテムや、ゲームコイン、クエストに登場した敵キャラクタ、プレイヤランクを上昇させるための経験値等が挙げられる。
【００３５】
本実施形態に係るミッションは、プレイヤがゲームをプレイしたこと等に基づき、プレイヤにミッション報酬を付与するゲームである。具体的なミッションとしては、特定のキャラクタ（対応キャラクタ）のパラメータを所定値に到達させるミッションが挙げられる。ここで、パラメータは、合成元キャラクタに合成元キャラクタの同系列キャラクタを素材として合成することにより変化（上昇）するパラメータであって、例えばスキルレベルやレアリティ等が挙げられる。なお、キャラクタの同系列キャラクタとは、キャラクタとキャラクタＩＤが同じキャラクタや、キャラクタの進化前後のキャラクタをいい、例えば、キャラクタＫとキャラクタＫを２回進化させたキャラクタＭは同系列キャラクタ同士である。
また、ミッション報酬としては、キャラクタや、課金アイテムを除くゲームアイテム、ゲームアイテムの購入や特別クエストの実行が可能となる権利、特定のキャラクタの進化を解禁させる権利、コンビニエンスストアや飲食店などの実店舗で商品を受け取ることができるクーポン（バーコード、ギフトコード等）等が挙げられる。なお、ミッション報酬は、ミッション達成時において所定確率に応じてランダムに決定されるものであってもよい。
【００３６】
＜機能手段＞
図３は、サーバ装置１０の機能手段の一例を概略的に示すブロック図である。
【００３７】
図３に示すように、サーバ装置１０は、記憶手段４０と、制御手段４２と、付与手段４４と、合成手段４６等の機能手段を備える。記憶手段４０は、一又は複数の記憶装置２８で実現される。記憶手段４０以外の機能手段は、記憶装置２８等に格納されたゲームプログラム１４を制御装置２０が実行することにより実現される。なお、これら機能手段４０〜４６の全部又は一部は端末装置１２に設けられてもよい。また、サーバ装置１０は、記憶手段４０と接続可能であればよく、上記のように、サーバ装置１０内部で接続されていても、サーバ装置１０外部で接続されていてもよい。言い換えれば、サーバ装置１０自体が記憶手段４０を備えていなくてもよい。この場合、記憶手段４０は別のサーバ装置等に設けられる。また、記憶手段４０は、或るデータを参照又は取得する要求があった場合に、記憶しているデータに係数や各種変数を演算して出力してもよいことは言うまでもない。
【００３８】
記憶手段４０は、プレイヤ毎のプレイヤ情報４０Ａや、キャラクタ毎のキャラクタ情報４０Ｂ、クエスト毎のクエスト情報４０Ｃ、抽選ゲーム毎の抽選ゲーム情報４０Ｄ、ミッション毎のミッション情報４０Ｅ等を記憶する機能を有する。
【００３９】
プレイヤ情報４０Ａは、プレイヤの各種情報が記述されたデータである。本実施形態では、プレイヤ情報４０Ａには、プレイヤＩＤに対応付けて、プレイヤ名、プレイヤランク、所有キャラクタ情報、現在スタミナ値、所有アイテム情報、ミッション達成情報が記述されている。所有キャラクタ情報は、プレイヤが所有しているキャラクタの情報として、各キャラクタの能力パラメータ（レベルやスキルレベル、ヒットポイント、攻撃力、防御力等）の各種パラメータ、獲得日時が記述されている。現在スタミナ値は、プレイヤがクエストを実行する際に消費される値であり、スタミナ回復アイテム（課金アイテム、非課金アイテム等）の使用や時間経過に応じて回復する。所有アイテム情報には、プレイヤが所有している課金アイテムや、非課金アイテム、ゲームコイン等のゲームアイテムの数が記述されている。ミッション達成情報には、プレイヤが達成したミッションのミッションＩＤが記述されている。
【００４０】
キャラクタ情報４０Ｂは、ゲームに登場するキャラクタの各種情報が記述されたデータである。本実施形態では、キャラクタ情報４０Ｂには、キャラクタＩＤに対応付けて、キャラクタ名、キャラクタ画像、レアリティ、能力パラメータの初期値と最大値、スキル、進化合成情報が記述されている。例えば、レアリティが４のキャラクタにはスキルレベルの最大値として８が記述され、レアリティが５のキャラクタにはスキルレベルの最大値として１０が記述されている。スキルは、キャラクタがゲーム中又はゲーム終了後に発動することができる能力である。本実施形態では、スキルは、例えばゲーム中にヒットポイントを回復させるアイテムを出現させる能力や、敵キャラクタからの攻撃によるダメージ量を軽減させる能力、ゲーム終了後に獲得できるキャラクタ数を上昇させる能力等であって、スキルレベルが高いほど発動確率や発動効果が高くなる。進化合成情報には、キャラクタ（合成元キャラクタ）に関連付けられた一又は複数の進化素材キャラクタ、進化後のキャラクタＩＤが記述されている。
【００４１】
クエスト情報４０Ｃは、クエストの各種情報が記述されたデータである。本実施形態では、クエスト情報４０Ｃには、クエストＩＤに対応付けて、クエスト名、敵キャラクタ情報、スタミナ消費値が記述されている。敵キャラクタ情報には、クエストに登場する敵キャラクタそれぞれのキャラクタＩＤに対応付けて、能力パラメータ、ドロップ率、経験値、ゲームコイン数が記述されている。ドロップ率は、クエストのクリア報酬として敵キャラクタをプレイヤに獲得させる確率であり、難易度が高いクエストほど高い確率が設定されている。経験値及びゲームコイン数は、クエストのクリア報酬としてプレイヤに獲得させる値である。スタミナ消費値は、プレイヤがクエストを実行する際、プレイヤの現在スタミナ値から消費される値であり、クエストの難易度が高いほど、高い値が設定されている。
【００４２】
抽選ゲーム情報４０Ｄは、抽選ゲームの各種情報が記述されたデータである。本実施形態では、抽選ゲーム情報４０Ｄには、抽選ゲームＩＤに対応付けて、抽選ゲーム名、抽選対象情報、獲得キャラクタ数、対価が記述されている。抽選対象情報には、抽選ゲームの抽選対象であるキャラクタ（抽選対象キャラクタ）それぞれのキャラクタＩＤに対応付けて、抽選確率が記述されている。獲得キャラクタ数は、抽選ゲームを１回実行した場合にプレイヤに獲得させるキャラクタ数が記述されている。対価には、抽選ゲームの実行に必要な対価として、課金アイテムや非課金アイテム等のゲームアイテムの数が記述されている。なお、獲得キャラクタ数が多い抽選ゲームや、レアリティの高いキャラクタが獲得しやすい抽選ゲームでは、高い対価が設定されている。
【００４３】
ミッション情報４０Ｅは、ミッションの各種情報が記述されたデータである。本実施形態では、ミッション情報１０Ｅには、ミッションＩＤに対応付けて、ミッション概要、達成条件、ミッション報酬、ミッション期間が記述されている。ミッション概要には、ミッションを選択する選択画面に表示される文章が記述されている。達成条件には、対応キャラクタＩＤ、到達レベルが記述されている。対応キャラクタＩＤには、ミッションに対応する対応キャラクタのキャラクタＩＤが記述されている。この対応キャラクタは、ゲーム運営者により定められる。到達レベルには、ミッション達成条件となる対応キャラクタが到達可能なスキルレベル（所定値）が記述されている。ミッション報酬には、プレイヤがミッションを達成した際にプレイヤに付与されるコンテンツやその数が記述されている。ミッション期間は、ミッションが実行可能な期間が記述されている。ミッション期間には、例えば１１月１０日０時０分〜１１月１６日２３時５９分や、常時実行可能であることを示す値（例えばＮＵＬＬ）が記述されている。
【００４４】
制御手段４２は、端末装置１２におけるプレイヤの操作に応じてゲームを実行する機能を有する。本実施形態では、制御手段４２は、プレイヤによるミッションに対する挑戦要求（指示）に基づき、当該ミッションの対応キャラクタ等が獲得可能なゲーム種目（クエストや抽選ゲーム）を進行させる。
【００４５】
付与手段４４は、ミッションを達成したプレイヤに対してミッション報酬を付与する機能を有する。本実施形態では、付与手段４４は、ミッションに対応する対応キャラクタのスキルレベルが所定値（到達レベル）に到達した場合に、プレイヤに対してミッション報酬を付与する。
【００４６】
合成手段４６は、プレイヤによる操作に基づく手動合成又は自動でキャラクタ合成を行う自動合成の機能を有する。本実施形態では、合成手段４６は、第１のキャラクタ合成として、合成元キャラクタに１又は複数の素材キャラクタを合成することにより、その合成元キャラクタの能力パラメータを変化させる強化合成を行う。ここで、合成手段４６は、合成元キャラクタと素材キャラクタが同系列キャラクタである場合、少なくとも合成元キャラクタのスキルレベルを変化（上昇）させる強化合成を行う。なお、合成手段４６は、合成元キャラクタと素材キャラクタが同系列キャラクタでない場合、少なくとも合成元キャラクタのレベルを変化（上昇）させる強化合成を行い、スキルレベルは変化（上昇）させない。
【００４７】
また、合成手段４６は、第２のキャラクタ合成として、合成元キャラクタに関連付けられた全ての進化素材キャラクタをプレイヤが所有していることを条件として、合成元キャラクタを異なるキャラクタに進化させる進化合成を行う。なお、本実施形態では、合成手段４６は、進化合成を行った場合、進化後のキャラクタのスキルレベルに合成元キャラクタ（進化前のキャラクタ）のスキルレベルを設定する。
【００４８】
また、合成手段４６は、第１のキャラクタ合成又は第２のキャラクタ合成で素材（素材キャラクタ）として用いられたキャラクタをプレイヤの非所有とする。なお、合成手段４６は、プレイヤの操作により第１のキャラクタ合成が行われる場合、プレイヤからの強化合成メニューの選択、合成元キャラクタと素材キャラクタの指定、及び強化合成指示を受け付けたことに基づき、合成元キャラクタに素材キャラクタを素材として強化合成を行う。また、合成手段４６は、プレイヤの操作により第２のキャラクタ合成が行われる場合、プレイヤからの進化合成メニューの選択、合成元キャラクタの指定、及び進化合成指示を受け付けたことに基づき、合成元キャラクタに関連付けられた全ての進化素材キャラクタを素材として進化合成を行う。
【００４９】
＜各機能手段の処理の流れ＞
図４は、本実施形態に係る各機能手段が実行するミッションに関する処理の流れの一例を示すフローチャートである。この処理は、例えばプレイヤがホーム画面においてミッションメニューを選択した場合に開始される。なお、以下のステップの順番及び内容は、適宜、変更することができる。
【００５０】
（ステップＳＰ１０）
制御手段４２は、一又は複数のミッションを選択するためのミッション選択画面を端末装置１２に出力（表示）する。本実施形態では、制御手段４２は、プレイヤ情報４０Ａとミッション情報４０Ｅを参照して、プレイヤが未達成かつ実行可能なミッションを取得し、そのミッション毎のミッション概要を含むミッション選択画面を端末装置１２に出力する。このミッション選択画面において、プレイヤにより一のミッションが選択（操作指示）されたことに応答して、処理は、ステップＳＰ１２の処理に移行する。
【００５１】
（ステップＳＰ１２）
制御手段４２は、上記ステップＳＰ１０で選択されたミッションの詳細を示すミッション詳細画面を端末装置１２に出力（表示）する。本実施形態では、制御手段４２は、ミッション情報４０Ｅを参照して選択されたミッションの達成条件とミッション報酬を取得し、これらに基づいてミッション詳細画面を端末装置１２に出力する。
【００５２】
図６は、端末装置１２に出力されるミッション詳細画面１００の一例を示す図である。
【００５３】
図６に示すように、ミッション詳細画面１００には、ミッション情報領域１０２、挑戦ボタン１０４、戻るボタン１０６が設けられている。ミッション情報領域１０２には、ミッションの対応キャラクタ（キャラクタＸ）と到達レベル（スキルレベル）を示す達成条件と、ミッション報酬を示す画像が配置されている。挑戦ボタン１０４が押下された場合は、対応キャラクタが獲得可能なゲーム種目の実行画面に遷移する。戻るボタン１０６が押下された場合は、ミッション選択画面に遷移する。
【００５４】
図４に戻って、ミッション詳細画面１００を端末装置１２に出力した後、処理は、ステップＳＰ１４の処理に移行する。
【００５５】
（ステップＳＰ１４）
制御手段４２は、上記ミッション詳細画面１００において、プレイヤにより挑戦ボタン１０４が押下（指示）を受け付ける。そして、挑戦ボタン１０４が押下されたことに応答して、処理は、ステップＳＰ１６の処理に移行する。
【００５６】
（ステップＳＰ１６）
制御手段４２は、上記挑戦ボタン１０４が押下（指示）されたミッションの対応キャラクタが獲得可能なゲーム種目を特定する。本実施形態では、制御手段４２は、クエスト情報４０Ｃと抽選ゲーム情報４０Ｄを参照して、当該ミッションの対応キャラクタが獲得可能なゲーム種目（クエスト又は抽選ゲーム）を特定する。そして、処理は、ステップＳＰ１８の処理に移行する。
【００５７】
（ステップＳＰ１８）
制御手段４２は、上記ステップＳＰ１６で特定されたゲーム種目を進行させる。本実施形態では、制御手段４２は、特定されたゲーム種目がクエストであった場合、プレイヤからクエストで用いるデッキの選択を受け付け、プレイヤの現在スタミナ値を消費して、選択されたデッキ（デッキ内キャラクタ）と敵キャラクタが登場する対戦ゲームを進行させる。一方、制御手段４２は、特定されたゲーム種目が抽選ゲームであった場合、プレイヤが所有しているゲームアイテム（課金アイテムや非課金アイテム、ゲームコイン等）を消費して、抽選ゲームを進行させる。そして、処理は、ステップＳＰ２０の処理に移行する。
【００５８】
（ステップＳＰ２０）
制御手段４２は、ゲーム種目の進行に基づき、プレイヤに獲得させる対応キャラクタの数ｎ（ｎは０以上の整数）を特定する。本実施形態では、制御手段４２は、進行したゲーム種目がクエストであった場合、登場した敵キャラクタのドロップ率やデッキ内キャラクタのスキルレベルに基づいてプレイヤに獲得させるキャラクタを決定し、当該決定したキャラクタに含まれる対応キャラクタの数ｎを特定する。一方、制御手段４２は、進行したゲーム種目が抽選ゲームであった場合、抽選対象キャラクタそれぞれの抽選確率と獲得キャラクタ数に基づいてプレイヤに獲得させるキャラクタを決定し、当該決定したキャラクタに含まれる対応キャラクタの数ｎを特定する。そして、処理は、ステップＳＰ２２の処理に移行する。
【００５９】
（ステップＳＰ２２）
制御手段４２は、上記ステップＳＰ２０で特定された対応キャラクタの獲得数ｎが０であるか否かを判定する。そして、当該判定が肯定判定された場合には、処理は、図４に示す一連の処理を終了する。一方、当該判定が否定判定された場合には、処理は、ステップＳＰ２４の処理に移行する。
【００６０】
（ステップＳＰ２４）
合成手段４６は、プレイヤが獲得した対応キャラクタに関する自動合成処理を行う。この詳細な処理（サブルーチン）については、図５を用いて後述する。そして、処理は、ステップＳＰ２６の処理に移行する。
【００６１】
（ステップＳＰ２６）
制御手段４２は、上記ステップＳＰ１０で選択されたミッションが達成されたか否かを判定する。本実施形態では、制御手段４２は、ミッション情報４０Ｅを参照して選択されたミッションの達成条件を取得し、対応キャラクタのスキルレベルが到達レベルに達したか否かを判定する。そして、当該判定が肯定判定された場合には、処理は、ステップＳＰ２８の処理に移行する。一方、当該判定が否定判定された場合には、処理は、図４に示す一連の処理を終了する。
【００６２】
（ステップＳＰ２８）
付与手段４４は、プレイヤに対してミッション報酬を付与する。本実施形態では、付与手段４４は、ミッション情報４０Ｅを参照して達成されたミッションのミッション報酬を取得し、そのミッション報酬をプレイヤに付与する。なお、制御手段４２は、プレイヤ情報４０Ａのミッション達成情報に、達成されたミッションのミッションＩＤを記述する。そして、処理は、図４に示す一連の処理を終了する。
【００６３】
＜ステップＳＰ２４に係る処理の流れ＞
（具体例１）
図５は、図４に示すステップＳＰ２４に係る自動合成処理の流れの一例（具体例１）を示すフローチャートである。
【００６４】
（ステップＳＰ３０）
制御手段４２は、プレイヤが既に対応キャラクタを所有しているか否かを判定する。本実施形態では、制御手段４２は、プレイヤ情報４０Ａにおける所有キャラクタ情報を参照して、プレイヤが対応キャラクタを所有しているか否かを判定する。そして、当該判定が肯定判定された場合には、処理は、ステップＳＰ３６の処理に移行する。一方、当該判定が否定判定された場合には、処理は、ステップＳＰ３２の処理に移行する。
【００６５】
（ステップＳＰ３２）
制御手段４２は、上記ステップＳＰ２０で特定された対応キャラクタの獲得数ｎが２以上であるか否かを判定する。そして、当該判定が肯定判定された場合には、処理は、ステップＳＰ３４の処理に移行する。一方、当該判定が否定判定された場合には、処理は、ステップＳＰ３８の処理に移行する。
【００６６】
（ステップＳＰ３４）
合成手段４６は、プレイヤが獲得した複数の対応キャラクタ同士の自動強化（自動的な強化合成）を行う。言い換えれば、合成手段４６は、獲得した一の対応キャラクタ（１体の対応キャラクタ）を合成元とし、残りの対応キャラクタ（ｎ−１体の対応キャラクタ）を素材キャラクタとして自動強化を行う。また、合成手段４６は、この自動強化によって、一の対応キャラクタのスキルレベルを上昇させてプレイヤの所有キャラクタとし、残りの対応キャラクタをプレイヤの非所有キャラクタとする。そして、処理は、ステップＳＰ３８の処理に移行する。
【００６７】
（ステップＳＰ３６）
合成手段４６は、プレイヤが既に所有している一の対応キャラクタを合成元とし、獲得した全ての対応キャラクタを素材として自動強化（自動的な強化合成）を行う。また、合成手段４６は、この自動強化によって、既に所有している一の対応キャラクタ（１体の対応キャラクタ）のスキルレベルを上昇させ、獲得した全ての対応キャラクタ（ｎ体の対応キャラクタ）をプレイヤの非所有キャラクタとする。ここで、合成手段４６は、プレイヤが２体以上の対応キャラクタを既に所有している場合には、最も獲得日時が古い対応キャラクタ（１体）を自動強化の合成元とする。そして、処理は、ステップＳＰ３８の処理に移行する。
【００６８】
（ステップＳＰ３８）
制御手段４２は、獲得した対応キャラクタや、自動強化（自動的な強化合成）が行われたことを示す通知画面を端末装置１２に出力（表示）する。
【００６９】
図７は、端末装置１２に出力される通知画面２００の一例（具体例１）を示す図である。
【００７０】
図７に示すように、通知画面２００には、獲得キャラクタ情報領域２０２、自動合成情報領域２０４が設けられている。獲得キャラクタ情報領域２０２には、プレイヤが獲得したキャラクタの画像が配置される。自動合成情報領域２０４には、自動強化が実行された結果が示される。
【００７１】
ここで、獲得キャラクタ情報領域２０２には、プレイヤが獲得した４体のキャラクタＸ（対応キャラクタ）、２体のキャラクタＹ、１体のキャラクタＺが配置されている。また、獲得キャラクタ情報領域２０２では、自動強化が行われた計４体のキャラクタＸに対して、マークＭが付されている。
【００７２】
また、自動合成情報領域２０４には、獲得した１体のキャラクタＸを合成元とし、残り３体のキャラクタＸを素材として自動的な強化合成（自動強化）が行われたこと、及び、この自動強化により合成元となったキャラクタＸのスキルレベルが変化（上昇）したこと、が示されている。
なお、プレイヤが既にキャラクタＸを所有していた場合は、自動合成情報領域２０４には、この既に所有していた１体のキャラクタＸを合成元とし、獲得した全ての対応キャラクタを素材として自動的な強化合成（自動強化）を行ったことが示されることになる。
【００７３】
上記通知画面２００を端末装置１２に出力した後、処理は、図５に示す一連の処理を終了する。
【００７４】
（具体例２）
上述した具体例１では、上記ステップＳＰ１６において、プレイヤに対応キャラクタを獲得させるゲーム種目を特定することを例に挙げて説明したが、制御手段４２は、対応キャラクタの進化前キャラクタ（以下、「進化前キャラクタ」と称す。）を獲得させるゲーム種目を特定することも可能である。この場合、プレイヤは、進化合成メニューに遷移して、獲得した進化前キャラクタを進化合成の合成元とし、関連付けられた進化素材キャラクタを素材として進化合成を行わなければ、ミッションを達成することができない。そこで、制御手段４２は、上記ステップＳＰ２４の自動合成処理において、当該進化前キャラクタを自動的に進化合成（自動進化）させてもよい。なお、この場合、上記ステップＳＰ２０において、制御手段４２は、進化前キャラクタの獲得数ｎを特定するものとする。
【００７５】
図８は、図４に示すステップＳＰ２４に係る自動合成処理の流れの一例（具体例２）を示すフローチャートである。
【００７６】
（ステップＳＰ４０）
制御手段４２は、プレイヤが既に対応キャラクタを所有しているか否かを判定する。そして、当該判定が肯定判定された場合には、処理は、ステップＳＰ５４の処理に移行する。一方、当該判定が否定判定された場合には、処理は、ステップＳＰ４２の処理に移行する。
【００７７】
（ステップＳＰ４２）
制御手段４２は、プレイヤが既に進化前キャラクタを所有しているか否かを判定する。本実施形態では、制御手段４２は、プレイヤ情報４０Ａにおける所有キャラクタ情報を参照して、プレイヤが進化前キャラクタを所有しているか否かを判定する。そして、当該判定が肯定判定された場合には、処理は、ステップＳＰ５０の処理に移行する。一方、当該判定が否定判定された場合には、処理は、ステップＳＰ４４の処理に移行する。
【００７８】
（ステップＳＰ４４）
合成手段４６は、プレイヤが獲得した一の進化前キャラクタを合成元とし、当該進化前キャラクタの進化素材キャラクタを素材として合成させて、当該一の進化前キャラクタを対応キャラクタに自動進化（自動的に進化合成）させる。本実施形態では、合成手段４６は、キャラクタ情報４０Ｂにおける進化合成情報を参照して、当該一の進化前キャラクタを合成元とし、当該進化前キャラクタに関連付けられた一又は複数の進化素材キャラクタを素材として、自動進化を行う。
なお、合成手段４６は、プレイヤが進化前キャラクタに関連付けられた一又は複数の進化素材キャラクタを全て所有していない場合、自動進化を行わない。
そして、処理は、ステップＳＰ４６の処理に移行する。
【００７９】
（ステップＳＰ４６）
制御手段４２は、上記ステップＳＰ２０で特定された進化前キャラクタの獲得数ｎが２以上であるか否かを判定する。そして、当該判定が肯定判定された場合には、処理は、ステップＳＰ４８の処理に移行する。一方、当該判定が否定判定された場合には、処理は、ステップＳＰ５６の処理に移行する。
【００８０】
（ステップＳＰ４８）
合成手段４６は、上記ステップＳＰ４４において自動進化した対応キャラクタを合成元とし、獲得した残りの進化前キャラクタを素材として自動強化（自動的な強化合成）を行う。また、合成手段４６は、この自動強化によって、一の対応キャラクタのスキルレベルを上昇させてプレイヤの所有キャラクタとし、残りの進化前キャラクタ（ｎ−１体）をプレイヤの非所有キャラクタとする。
なお、合成手段４６は、上記ステップＳＰ４４において自動進化が行われなかった場合、上記ステップＳＰ３４と同様、獲得した一の進化前キャラクタを合成元とし、残りの進化前キャラクタを素材として自動強化を行い、当該一の進化前キャラクタのスキルレベルを上昇させてもよい。
そして、処理は、ステップＳＰ５６の処理に移行する。
【００８１】
（ステップＳＰ５０）
合成手段４６は、プレイヤが既に所有している一の進化前キャラクタを合成元とし、当該進化前キャラクタの進化素材キャラクタを素材として合成させて、当該一の進化前キャラクタを対応キャラクタに自動進化（自動的に進化合成）させる。ここで、合成手段４６は、プレイヤが２体以上の進化前キャラクタを既に所有している場合には、最も獲得日時が古い進化前キャラクタ（１体）を自動進化の合成元とする。
なお、合成手段４６は、上記ステップＳＰ４４と同様、プレイヤが進化前キャラクタに関連付けられた一又は複数の進化素材キャラクタを全て所有していない場合、自動進化を行わない。
そして、処理は、ステップＳＰ５２の処理に移行する。
【００８２】
（ステップＳＰ５２）
合成手段４６は、上記ステップＳＰ５０において自動進化した対応キャラクタを合成元とし、獲得した全ての進化前キャラクタを素材として自動強化（自動的な強化合成）を行う。また、合成手段４６は、この自動強化によって、自動進化した対応キャラクタのスキルレベルを上昇させ、獲得した全ての進化前キャラクタをプレイヤの非所有キャラクタとする。
なお、合成手段４６は、上記ステップＳＰ５０において自動進化を行わなかった場合、上記ステップＳＰ４８と同様、既に所有している一の進化前キャラクタを合成元とし、獲得した全ての進化前キャラクタを素材として自動強化を行い、当該一の進化前キャラクタのスキルレベルを上昇させてもよい。
そして、処理は、ステップＳＰ５６の処理に移行する。
【００８３】
（ステップＳＰ５４）
合成手段４６は、プレイヤが既に所有している一の対応キャラクタを合成元とし、獲得した全ての進化前キャラクタを素材として自動強化（自動的な強化合成）を行う。ここで、合成手段４６は、プレイヤが２体以上の対応キャラクタを所有している場合には、最も獲得日時が古い対応キャラクタ（１体）を自動強化の合成元とする。そして、処理は、ステップＳＰ５６の処理に移行する。
【００８４】
（ステップＳＰ５６）
制御手段４２は、獲得した進化前キャラクタや、自動進化、自動強化が行われたことを示す通知画面を端末装置１２に出力（表示）する。
【００８５】
図９は、端末装置１２に出力される通知画面３００の一例（具体例２）を示す図である。
【００８６】
図９に示すように、通知画面３００には、獲得キャラクタ情報領域３０２、自動合成情報領域３０４が設けられている。獲得キャラクタ情報領域３０２には、プレイヤが獲得したキャラクタの画像が配置される。自動合成情報領域３０４には、自動進化及び自動強化が実行された結果が示される。
【００８７】
ここで、獲得キャラクタ情報領域３０２には、プレイヤが獲得した４体のキャラクタＡ（進化前キャラクタ）、２体のキャラクタＢ、１体のキャラクタＣが配置されている。また、獲得キャラクタ情報領域３０２では、自動強化が行われた計４体のキャラクタＡに対して、マークＭが付されている。
【００８８】
また、自動合成情報領域３０４には、獲得した１体のキャラクタＡを自動進化させてキャラクタＸ（対応キャラクタ）にしたこと、この自動進化によりキャラクタＡの進化素材キャラクタを消費したこと、この自動進化したキャラクタＸを合成元とし、残り３体のキャラクタＡを素材として自動強化を行ったこと、及び、この自動強化により合成元となったキャラクタＸのスキルレベルが変化（上昇）したこと、が示されている。
また、プレイヤが既にキャラクタＡを所有していた場合は、自動合成情報領域３０４には、この既に所有していた１体のキャラクタＡを自動進化させてキャラクタＸにしたこと、この自動進化により進化素材キャラクタを消費したこと、及び、この自動進化したキャラクタＸを合成元とし、獲得した全てのキャラクタＡを素材として自動強化を行ったこと、が示されることになる。
また、プレイヤが既にキャラクタＸを所有していた場合は、自動合成情報領域３０４には、この既に所有していた１体のキャラクタＸを合成元とし、獲得した全てのキャラクタＡを素材として自動強化を行ったことが示されることになる。
【００８９】
上記通知画面３００を端末装置１２に出力した後、処理は、図８に示す一連の処理を終了する。
【００９０】
（具体例３）
上述した具体例２では、進化前キャラクタを対応キャラクタに自動進化させた後、この自動進化した対応キャラクタを自動強化することを例に挙げて説明したが、制御手段４２は、進化前キャラクタを自動強化させた後に、当該進化前キャラクタを自動進化させてもよい。
【００９１】
図１０は、図４に示すステップＳＰ２４に係る自動合成処理の流れの一例（具体例３）を示すフローチャートである。
【００９２】
（ステップＳＰ６０）
制御手段４２は、プレイヤが既に対応キャラクタを所有しているか否かを判定する。そして、当該判定が肯定判定された場合には、処理は、ステップＳＰ７４の処理に移行する。一方、当該判定が否定判定された場合には、処理は、ステップＳＰ６２の処理に移行する。
【００９３】
（ステップＳＰ６２）
制御手段４２は、プレイヤが既に対応キャラクタの進化前キャラクタを所有しているか否かを判定する。そして、当該判定が肯定判定された場合には、処理は、ステップＳＰ７０の処理に移行する。一方、当該判定が否定判定された場合には、処理は、ステップＳＰ６４の処理に移行する。
【００９４】
（ステップＳＰ６４）
制御手段４２は、上記ステップＳＰ２０で特定された進化前キャラクタの獲得数ｎが２以上であるか否かを判定する。そして、当該判定が肯定判定された場合には、処理は、ステップＳＰ６６の処理に移行する。一方、当該判定が否定判定された場合には、処理は、ステップＳＰ６８の処理に移行する。
【００９５】
（ステップＳＰ６６）
合成手段４６は、プレイヤが獲得した複数の進化前キャラクタ同士の自動強化（自動的な強化合成）を行う。言い換えれば、合成手段４６は、獲得した一の進化前キャラクタ（１体の進化前キャラクタ）を合成元とし、残りの進化前キャラクタ（ｎ−１体の進化前キャラクタ）を素材として自動強化を行う。また、合成手段４６は、この自動強化によって、一の進化前キャラクタのスキルレベルを上昇させてプレイヤの所有キャラクタとし、残りの進化前キャラクタをプレイヤの非所有キャラクタとする。そして、処理は、ステップＳＰ６８の処理に移行する。
【００９６】
（ステップＳＰ６８）
合成手段４６は、上記ステップＳＰ２０で肯定判定された場合、上記ステップＳＰ６６において自動強化（自動的な強化合成）を行ったことに伴って、この自動強化の合成元となった一の進化前キャラクタを自動進化（自動的に進化合成）させる。一方、合成手段４６は、上記ステップＳＰ２０で否定判定された場合、獲得した一の進化前キャラクタを自動進化（自動的に進化合成）させる。本実施形態では、合成手段４６は、当該一の進化前キャラクタを合成元とし、当該進化前キャラクタの進化素材キャラクタを素材として合成させて、当該一の進化前キャラクタを対応キャラクタに自動進化させる。
なお、合成手段４６は、プレイヤが進化前キャラクタに関連付けられた一又は複数の進化素材キャラクタを全て所有していない場合、自動進化を行わない。
そして、処理は、ステップＳＰ７６の処理に移行する。
【００９７】
（ステップＳＰ７０）
合成手段４６は、プレイヤが既に所有している一の進化前キャラクタを合成元とし、獲得した全ての進化前キャラクタを素材として自動強化（自動的な強化合成）を行う。また、合成手段４６は、この自動強化によって、一の進化前キャラクタのスキルレベルを上昇させてプレイヤの所有キャラクタとし、獲得した全ての進化前キャラクタをプレイヤの非所有キャラクタとする。そして、処理は、ステップＳＰ７２の処理に移行する。
【００９８】
（ステップＳＰ７２）
合成手段４６は、上記ステップＳＰ７０において自動強化（自動的な強化合成）を行ったことに伴って、この自動強化の合成元となった一の進化前キャラクタを自動進化（自動的に進化合成）させる。本実施形態では、合成手段４６は、当該一の進化前キャラクタを合成元とし、当該進化前キャラクタの進化素材を素材として合成させて、当該一の進化前キャラクタを対応キャラクタに自動進化（自動的に進化合成）させる。
なお、合成手段４６は、上記ステップＳＰ６８と同様、プレイヤが進化前キャラクタに関連付けられた一又は複数の進化素材キャラクタを全て所有していない場合、自動進化を行わない。
そして、処理は、ステップＳＰ７６の処理に移行する。
【００９９】
（ステップＳＰ７４）
合成手段４６は、プレイヤが既に所有している一の対応キャラクタを合成元とし、獲得した全ての進化前キャラクタを素材として自動強化（自動的な強化合成）を行う。そして、処理は、ステップＳＰ７６の処理に移行する。
【０１００】
（ステップＳＰ７６）
制御手段４２は、獲得した進化前キャラクタや、自動強化、自動進化が行われたことを示す通知画面を端末装置１２に出力（表示）する。
【０１０１】
図１１は、端末装置１２に出力される通知画面４００の一例（具体例３）を示す図である。
【０１０２】
図１１に示すように、通知画面４００には、獲得キャラクタ情報領域４０２、自動合成情報領域４０４が設けられている。獲得キャラクタ情報領域４０２には、図９に示した獲得キャラクタ情報領域３０２と同様の情報が配置される。自動合成情報領域４０４には、自動強化及び自動進化が実行された結果が示される。
【０１０３】
ここで、自動合成情報領域４０４には、獲得した１体のキャラクタＡ（進化前キャラクタ）を合成元とし、残り３体のキャラクタＡを素材として自動強化を行ったこと、この自動強化により合成元となったキャラクタＡのスキルレベルが変化（上昇）したこと、この自動強化されたキャラクタＡを自動進化させてキャラクタＸ（対応キャラクタ）にしたこと、及び、この自動進化によりキャラクタＡの進化素材キャラクタを消費したこと、が示されている。
また、プレイヤが既にキャラクタＡを所有していた場合は、自動合成情報領域４０４には、この既に所有していた１体のキャラクタＡを自動進化させてキャラクタＸにしたこと、この自動進化により進化素材キャラクタを消費したこと、及び、この自動進化したキャラクタＸを合成元とし、獲得した全てのキャラクタＡを素材として自動強化を行ったこと、が示されることになる。
また、プレイヤが既にキャラクタＸを所有していた場合は、自動合成情報領域４０４には、この既に所有していた１体のキャラクタＸを合成元とし、獲得した全てのキャラクタＡを素材として自動強化を行ったことが示されることになる。
【０１０４】
上記通知画面４００を端末装置１２に出力した後、処理は、図１０に示す一連の処理を終了する。
【０１０５】
＜効果＞
以上、本実施形態によれば、獲得した複数の対応キャラクタのうち、一の対応キャラクタを合成元とし、残りの対応キャラクタを素材として自動合成させるので、対応キャラクタの獲得後、プレイヤが強化合成メニューに遷移して対応キャラクタ同士を強化合成させる手間を軽減することができる。これにより、プレイヤに対してミッションの対応キャラクタを育成するモチベーションを与えることができる。そして、プレイヤは、対応キャラクタを獲得するゲーム種目に集中することができる。
【０１０６】
また、本実施形態によれば、プレイヤが対応キャラクタを既に所有している場合、当該対応キャラクタを合成元とし、獲得した複数の対応キャラクタを素材として自動合成させるので、プレイヤの所有する対応キャラクタの数が増えることがない。これにより、プレイヤが強化合成メニューに遷移して対応キャラクタ同士を強化合成させる手間を軽減することができる。
【０１０７】
また、本実施形態によれば、プレイヤが対応キャラクタの進化前キャラクタを複数獲得した場合、獲得した一の進化前キャラクタを自動的に進化させ、当該進化したキャラクタ（対応キャラクタ）に残りの進化前キャラクタを素材として自動合成させるので、進化前キャラクタの獲得後、プレイヤが進化合成メニューや強化合成メニューに遷移して、進化前キャラクタを進化合成させたり、進化合成後の対応キャラクタを合成元とし、進化前キャラクタを素材として強化合成させたりする手間を軽減することができる。これにより、プレイヤに対してミッションの対応キャラクタを育成する手間を軽減することができる。そして、プレイヤは、対応キャラクタの進化前キャラクタを獲得するゲーム種目に集中することができる。
【０１０８】
また、本実施形態によれば、プレイヤが対応キャラクタの進化前キャラクタを複数獲得した場合、一の進化前キャラクタを合成元とし、残りの進化前キャラクタを素材として自動合成させるので、進化前キャラクタの獲得後、プレイヤが強化合成メニューに遷移して、進化前キャラクタ同士を強化合成させる手間を軽減することができる。これにより、プレイヤに対してミッションの対応キャラクタを育成する手間を軽減することができる。そして、プレイヤは、対応キャラクタの進化前キャラクタを獲得するゲーム種目に集中することができる。
【０１０９】
また、本実施形態によれば、プレイヤが対応キャラクタを既に所有している場合、当該対応キャラクタを合成元とし、獲得した複数の進化前キャラクタを素材として自動合成させるので、プレイヤの所有する対応キャラクタと当該対応キャラクタの進化前キャラクタの数が増えることがない。これにより、プレイヤが強化合成メニューに遷移して、対応キャラクタを合成元とし、進化前キャラクタを素材として強化合成させる手間を軽減することができる。
【０１１０】
また、本実施形態によれば、プレイヤが進化前キャラクタを既に所有している場合、当該進化前キャラクタを自動的に進化させ、当該進化したキャラクタ（対応キャラクタ）に獲得した進化前キャラクタを素材として自動合成させるので、進化前キャラクタの獲得後、プレイヤが進化合成メニューや強化合成メニューに遷移して、進化前キャラクタを進化合成させたり、当該進化合成後の対応キャラクタを合成元とし、進化前キャラクタを素材として強化合成させたりする手間を軽減することができる。これにより、プレイヤに対してミッションの対応キャラクタを育成する手間を軽減することができる。
【０１１１】
また、本実施形態によれば、プレイヤが対応キャラクタの進化前キャラクタを既に所有している場合、当該進化前キャラクタを合成元とし、獲得した複数の進化前キャラクタを素材として自動合成させるので、プレイヤの所有する進化前キャラクタの数が増えることがない。これにより、プレイヤが強化合成メニューに遷移して進化前キャラクタ同士を合成させる手間を軽減することができる。
【０１１２】
また、本実施形態によれば、自動合成を行ったことに伴って、進化前キャラクタを対応キャラクタに自動的に進化させるので、プレイヤが進化合成メニューに遷移して、進化前キャラクタを進化合成させる手間を軽減することができる。
【０１１３】
＜変形例＞
なお、本発明は上記の具体例に限定されるものではない。すなわち、上記の具体例に、当業者が適宜設計変更を加えたものも、本発明の特徴を備えている限り、本発明の範囲に包含される。また、前述した実施形態及び後述する変形例が備える各要素は、技術的に可能な限りにおいて組み合わせることができ、これらを組み合わせたものも本発明の特徴を含む限り本発明の範囲に包含される。
【０１１４】
例えば、上記実施形態では、制御手段４２は、自動合成処理の後にミッションを達成したか否かを判定することを説明したが、プレイヤがミッションメニューを選択した際にプレイヤが達成したミッションがあるか否かを判定してもよい。例えば、制御手段４２は、ミッションメニューに、達成済のミッションと未達成のミッションを混在させて端末装置１２に出力する。そして、付与手段４４は、プレイヤから達成済のミッションが選択された場合に、プレイヤに当該選択された達成済のミッションに対応付けられたミッション報酬を付与してもよい。
【０１１５】
また、上記実施形態では、制御手段４２は、ゲーム種目（クエストや抽選ゲーム）の進行により、プレイヤに対応キャラクタや、対応キャラクタの同系列キャラクタ（対応キャラクタの進化前キャラクタや進化後キャラクタ）を混在して獲得させてもよい。
また、制御手段４２は、上記ステップＳＰ１６において、プレイヤに対応キャラクタの進化後キャラクタを獲得させるゲーム種目を特定してもよい。この場合、合成手段４６は、プレイヤが進化後キャラクタを獲得したとき、当該進化後キャラクタを対応キャラクタに自動退化させてもよい。
【０１１６】
また、上記実施形態では、合成手段４６は、合成元キャラクタ（進化前キャラクタ）に関連付けられた全ての進化素材キャラクタをプレイヤが所有していることを条件に進化合成を行うことを説明したが、その合成元キャラクタのレベルが最大値であることを進化合成の条件に加えてもよい。この場合、合成手段４６は、上記ステップＳＰ２４において進化前キャラクタを自動進化させる際、この進化前キャラクタのレベルを最大値にするための自動強化を行った後、この進化前キャラクタを自動進化させることとしてもよい。
【０１１７】
また、上記実施形態では、合成手段４６は、合成元キャラクタに同系列キャラクタを素材として合成させることで、当該合成元キャラクタのスキルレベルを変化（上昇）させることを説明したが、素材である同系列キャラクタの数やスキルレベルに応じて、当該スキルレベルを変化（上昇）させる量を決定してもよい。例えば、合成手段４６は、素材である同系列キャラクタ１体につき合成元キャラクタのスキルレベルを１ずつ上昇させてもよいし、素材である同系列キャラクタそれぞれのスキルレベルの合計が５である場合に合成元キャラクタのスキルレベルを５上昇させてもよい。なお、合成手段４６は、素材である同系列キャラクタの数やスキルレベルの合計に応じて、合成元キャラクタのスキルレベルを上昇させる量をランダムに決定することとしてもよい。
【０１１８】
また、合成手段４６は、合成元キャラクタに、合成元キャラクタと同系列キャラクタではない特殊キャラクタを素材として強化合成した場合であっても、当該合成元キャラクタのスキルレベルを変化（上昇）させてもよい。この場合、例えば上記ステップＳＰ１６において、制御手段４２は、当該特殊キャラクタを獲得させるゲーム種目を特定し、上記ステップＳＰ２４において、合成手段４６は、プレイヤが既に所有している対応キャラクタや進化前キャラクタを合成元とし、獲得した特殊キャラクタを素材として自動強化を行ってもよい。
また、合成手段４６は、合成元キャラクタに、合成元キャラクタと同一のスキルを有するキャラクタや、合成元キャラクタと同一の属性を有するキャラクタ、合成元キャラクタと同一のレアリティが設定されているキャラクタ等を素材として強化合成することにより、その合成元キャラクタのスキルレベルを変化（上昇）させてもよい。
【０１１９】
また、上記実施形態では、上記ステップＳＰ３６や上記ステップＳＰ５０において、合成手段４６は、プレイヤが２体以上の対応キャラクタを既に所有している場合、最も獲得日時が古い対応キャラクタ（１体）を合成元とする自動強化を行うことを説明したが、この自動強化において、最も獲得日時が古い対応キャラクタを合成元とし、既に所有している残りの対応キャラクタを素材として自動強化を行ってもよい。
【０１２０】
また、合成手段４６は、自動強化によって合成元である対応キャラクタのスキルレベルがミッションの到達レベルを超える場合には、スキルレベルが到達レベルを超えないように、自動強化の素材とする対応キャラクタの数（ｎ体又はｎ−１体）を減少させてもよい。この場合、合成手段４６は、自動強化の素材にしなかった対応キャラクタをプレイヤの所有キャラクタとする。
【０１２１】
また、上記実施形態では、合成手段４６は、上記ステップＳＰ１４でプレイヤによるミッションの挑戦指示があった（挑戦指示を経由した）ことに基づいて上記ステップＳＰ２４の自動合成処理を行うことを説明したが、ミッションの挑戦指示がなかった場合、プレイヤが当該ミッションの対応キャラクタや進化前キャラクタを獲得したとしても、自動合成処理は行われない。ただし、合成手段４６は、プレイヤが、ミッションの挑戦指示によらず各ミッションの対応キャラクタや進化前キャラクタを自動合成することを設定モード等で設定していた場合には、自動合成処理を行ってもよい。
また、合成手段４６は、過去に挑戦指示があったミッションの対応キャラクタや進化前キャラクタをプレイヤがミッションの挑戦指示を経由せずに獲得した場合、自動合成処理を継続して行ってもよい。なお、合成手段４６は、プレイヤがミッションを達成した場合や、対応キャラクタや進化前キャラクタのスキルレベルが最大値に到達した場合、プレイヤからミッションの挑戦を諦める指示があった場合、ミッションが実行不可になった場合には、この自動合成処理を継続しない（解除する）こととしてもよい。
【０１２２】
また、合成手段４６は、プレイヤからミッションの挑戦指示があったことに基づいて、そのミッションの対応キャラクタ又はその進化前キャラクタを自動合成の合成元キャラクタに設定（登録）してもよい。例えば、合成手段４６は、プレイヤが所有しているキャラクタが自動合成の合成元キャラクタに設定（登録）された場合、プレイヤが当該キャラクタの同系列キャラクタを獲得すると、当該キャラクタを合成元とし、獲得した同系列キャラクタを素材として自動強化（自動的な強化合成）を行う。
【０１２３】
また、上記実施形態では、パラメータとしてスキルレベルを例として説明したが、例えば、キャラクタの最大レベルが限界突破した回数、覚醒スキル数、運のよさ等であってもよい。
【０１２４】
また、上記実施形態では、ミッションの内容として、対応キャラクタのパラメータを所定値に到達させることを説明したが、この他にも、特定のクエストをクリアするミッションや、ログイン日数を所定日数に到達させるミッション、アンケートに回答するミッション、パラメータが上限に到達したキャラクタを複数体作成するミッション、消費したスタミナの合計値を所定値に到達させるミッション等があってもよい。
【０１２５】
また、上記実施形態では、コンテンツの一例として主にキャラクタを用いる場合を説明したが、アイテムや、カード、アバター、コイン、ポイント等でもよい。
【符号の説明】
【０１２６】
１０…サーバ装置（情報処理装置）、１２…端末装置（コンピュータ）、１４…ゲームプログラム（プログラム）、４２…制御手段、４４…付与手段、４６…合成手段
【図１】
2020089715.tif 000003
【図２】
2020089715.tif 000004
【図３】
2020089715.tif 000005
【図４】
2020089715.tif 000006
【図５】
2020089715.tif 000007
【図６】
2020089715.tif 000008
【図７】
2020089715.tif 000009
【図８】
2020089715.tif 000010
【図９】
2020089715.tif 000011
【図１０】
2020089715.tif 000012
【図１１】
2020089715.tif 000013